(57)【要約】
【課題】  歯科治療時の飛沫による患者の不快感、顔面の汚染を解消し、治療する歯科医としても余分なストレスを受けることがないようにするための歯科用フェイスカバーを提供する。
【解決手段】  歯科用フェイスカバー１としての、患者の顔面のほぼ下半分を覆う大きさの紙、織布または不織布を素材とするシートの中央部に、口腔部を露出させるための開窓部２を設ける。このフェイスカバー１で、仰臥あるいは半仰臥位の患者の顔面のほぼ下半分を覆い、開窓部を通して治療を行う。これにより、治療時に発生する飛沫の患者顔面への飛散と飛沫による汚染を防止する。
【選択図】    図１
0003101259.tif 000002
【実用新案登録請求の範囲】
【請求項１】
患者の顔面のほぼ下半分を覆う大きさの紙、織布または不織布を素材とするシートの中央部に、口腔部を露出させるための開窓部を形成してなることを特徴とする歯科用フェイスカバー。
【請求項２】
前記シートは、少なくとも片面が、超撥水加工を施した通気性を有する素材からなることを特徴とする請求項１記載の歯科用フェイスカバー。
【請求項３】
前記シートは、異なる材質の複数のシートを積層したものであり、少なくとも片面が患者の顔面に馴染む柔軟性のある素材からなることを特徴とする請求項１または２記載の歯科用フェイスカバー。
【考案の詳細な説明】
【技術分野】
【０００１】
本考案は、歯科治療の際に飛散する水分や粉塵による患者の不快感を解消するための歯科用フェイスカバーに関するものである。
【背景技術】
【０００２】
歯科治療では、歯科用切削器具や超音波装置、さらに、洗浄や乾燥のための注水シリンジやエアー、噴霧シリンジが繁用される。その際、歯科用切削器具や超音波装置の冷却水や切削粉塵が周辺に飛散する。その他、各シリンジの操作により霧状の水分が飛散する。
【０００３】
これらの不快な現象を防止するために、通常、歯科用吸引装置（バキューム）が使われている。
【特許文献１】特開平０９−０８４８１１号公報
【特許文献２】特開平０６−２８５０９３号公報
【特許文献３】特開２０００−１３５４９３号公報
【特許文献４】特開平０６−１６９９４０号公報
【考案の開示】
【考案が解決しようとする課題】
【０００４】
口腔の深い所、例えば奥歯の治療では、バキューム装置は極めて有効であるが、前方の前歯群の治療に際しては、バキューム装置の効果の範囲を超えて口腔外への飛沫の飛散が発生する。この時、飛散する飛沫は、患者の口腔周辺の顔面に飛び散り顔面を汚染する。
【０００５】
このことは、治療を受ける患者にとって不快であるばかりでなく、治療する歯科医の側にとっても患者顔面への飛散と汚染防止に気を使うことで余分なストレスとなる。特に、化粧にこだわる女性患者にとって歯科受診の際の悩みともなる。
【０００６】
本考案の歯科用フェイスカバーは、このような不快な現象を改善することを目的として考案されたものである。
【課題を解決するための手段】
【０００７】
本願の請求項１に係る歯科用フェイスカバーは、患者の顔面のほぼ下半分を覆う大きさの紙、織布または不織布を素材とするシートの中央部に、口腔部を露出させるための開窓部を形成してなることを特徴とするものである。
【０００８】
この、歯科用フィエスカバーは、従来、外科手術に使用されている手術野の範囲を開窓した手術用包布に類似するものであるが、歯科一般治療に使用できるように工夫したものであり、極めて簡便かつ安価で、使い捨て可能である。
【０００９】
すなわち、紙、布、または不織布を素材とするシートの中央部に、開窓部を設け、治療の際に大きく開口した患者の口腔周囲を露出させるようにしたもので、開窓部の形状は、円形、楕円形、方形あるいは菱形等、特に限定されないが、歯科処置に支障のない範囲、例えば口唇の外周約１０ｍｍ程度を露出させた形状とする。
【００１０】
このシート状のフェイスカバーで、仰臥あるいは半仰臥位の患者の顔面のほぼ下半分を覆い、開窓部を通して治療を行う。これにより、治療時に発生する飛沫の患者顔面への飛散と飛沫による汚染を防止する。
【００１１】
従来から使用されている外科手術用の包布は、手術野の非感染状態の確保を目的としており、被覆する範囲も広く、体動による位置ずれを防止するためにクランプで止める等、大袈裟になり、通常の一般歯科治療には不向きであり、また消毒滅菌のため素材も限定され、コストの問題がある。
【００１２】
これに対し、本考案は、想定される飛沫による汚染の範囲をカバーする目的のための最小限度のサイズでよく、しかも素材として、紙、布、不織布等、シート状のもので吸水性、通気性に優れ、安価で使い捨て可能な素材を選択することができる。
【００１３】
請求項２は、請求項１に係る歯科用フェイスカバーにおいて、前記シートは、少なくとも片面が、超撥水加工を施した通気性を有する素材からなることを特徴とするものである。
【００１４】
超撥水技術は、最近、繊維やガラス分野だけでなく、エレクトロニクス分野、建築分野、化粧品、日用品等の分野に用途も広がり、撥水性と透湿性を併せ持ち、その他、撥油性、帯電防止性、防汚性を有するものが開発されている。
【００１５】
歯科用フェイスカバーの表面に、撥水性と透湿性を持たせることで、単に顔面の飛沫による汚染を防止するだけでなく、女性患者が化粧のまま快適に治療を受けることができるという効果がある。
【００１６】
請求項３は、請求項１または２に係る歯科用フェイスカバーにおいて、前記シートは、異なる材質の複数のシートを積層したものであり、少なくとも片面が患者の顔面に馴染む柔軟性のある素材からなることを特徴とするものである。
【００１７】
シートの材質によっては、シートが顔面に馴染まず、シート自体が患者に不快感を与えたり、隙間が生じて隙間から入り込む恐れがある。請求項３に係る考案では、片面を柔軟性があり、顔面に馴染む素材とした複層のシートを用いることで、そのような問題を解消するものである。
【００１８】
なお、単層のシートでも、それ自体が患者の顔面に馴染む柔軟性を有し、かつ吸水性に優れ、飛沫による患者の顔面の汚染を防止できるものであったり、超撥水加工等により撥水性や透湿性を有するものである場合には、請求項３の構成によらず、そのまま使用することができる。
【考案の効果】
【００１９】
本考案の歯科用フェイスカバーを使用することで、歯科治療時の飛沫による患者の不快感、顔面の汚染が軽減され、治療する歯科医も余分なストレスを受けることがなくなる。
【００２０】
この歯科用フェイスカバーは、紙、布、または不織布を素材とし、シートの中央部に開窓部を形成した簡単な構成のものであるため、安価に製造することができ、取扱いも容易である。また、使い捨てが可能であるため、衛生面での問題も生じない。
【００２１】
さらに、複層のシートを用いたり、超撥水加工の技術を併用することで、機能を高め、より一層、患者の不快感を解消させることができる。
【考案を実施するための最良の形態】
【００２２】
図１は、本考案の歯科用フェイスカバー１の一実施形態を示したもので、この例では、縦Ｈ＝２００ｍｍ、横Ｂ＝２００ｍｍのポリエステル等の繊維材料からなる正方形の不織布の中央部に、直径Ｄ＝７８ｍｍの正円形の開窓部２を設けている。
【００２３】
この歯科用フェイスカバー１で患者の顔面（ほぼ下半分）を覆い、開窓部２を通して治療を行う。
【００２４】
上記サイズ、すなわち縦Ｈ＝２００ｍｍ、横Ｂ＝２００ｍｍおよび開窓部の直径Ｄ＝７８ｍｍは、現在までの試作試用の結果、顔面の飛沫による汚染防止効果が高く、治療操作上支障の少ないサイズとして確認したものである。
【００２５】
なお、大人用のサイズとして、例えばＳ、Ｍ、Ｌといった複数のサイズのものを用意したり、大人用のものとは別に子供用サイズとして、これよりも小さいサイズのものを用意し、これらを使い分けることもできる。
【００２６】
歯科用フェイスカバー１としての顔面の汚染防止効果に優れ、使い捨て用の比較的安価なものとしては、本実施形態の不織布製のものが適すると考えるが、より機能の高いものとしては、柔軟性、吸水性、通気性などの機能の優れた素材によるもの、あるいは加工によりこれらの機能を増強したものなどを用いることができる。
【図面の簡単な説明】
【００２７】
【図１】本考案の歯科用フェイスカバーの一実施形態を示す平面図である。
【符号の説明】
【００２８】
１…フェイスカバー、２…開窓部
【図１】
0003101259.tif 000003